(57)【要約】【課題】本発明は、エンディングノートへの記入項目を著しく正確かつ信憑性をもって記録し得るばかりではなく、記録者の死後、記録したエンディングノートへの内容の正確性を巡る争いを著しく低減し得るところのエンディングノート記入項目記録方法及びその装置を提供する。【解決手段】本発明は、棺様の箱の中に人が仰向けに横たわって入り、該人の耳の近傍に備えられたスピーカーからの音声によるエンディングノートへの記入項目の問いかけに対して、該人の口の近傍に備えられたマイクロフォンに向かって、該人が音声により応答し、該音声が、該マイクロフォンにより受け取られた音声を記録することができる装置に送られて記録されることにより、エンディングノートへの記入項目を音声により記録することを特徴とする、エンディングノート記入項目記録方法である。【選択図】図１
2017090975.tif 000002
【特許請求の範囲】
【請求項１】
棺様の箱の中に人が仰向けに横たわって入り、該人の耳の近傍に備えられたスピーカーからの音声によるエンディングノートへの記入項目の問いかけに対して、該人の口の近傍に備えられたマイクロフォンに向かって、該人が音声により応答し、該音声が、該マイクロフォンにより受け取られた音声を記録することができる装置に送られて記録されることにより、エンディングノートへの記入項目を音声により記録することを特徴とする、エンディングノート記入項目記録方法。
【請求項２】
上記エンディングノートへの記入項目が、財産相続に関する項目である、請求項１記載のエンディングノート記入項目記録方法。
【請求項３】
上記棺様の箱が、５０デシベル以下の静かな室内に設置される、請求項１又は２記載のエンディングノート記入項目記録方法。
【請求項４】
上記スピーカーからの音声によるエンディングノートへの記入項目の問いかけが、５０デシベル以下の静かな音声により行われる、請求項１〜３のいずれか一つに記載のエンディングノート記入項目記録方法。
【請求項５】
上記スピーカーが、ヘッドフォン又はイヤフォンで代替される、請求項１〜４のいずれか一つに記載のエンディングノート記入項目記録方法。
【請求項６】
人が仰向けに横たわって入ることができる棺様の箱から構成されるエンディングノート記入項目記録装置であって、該人の口の近傍に位置し得るようにマイクロフォンが備えられ、該人の耳の近傍に位置し得るようにスピーカーが備えられており、かつ、該マイクロフォンにより受け取られた音声を記録することができる装置と、該スピーカーへ音声を送ることができる装置とを備えており、該スピーカーへ音声を送ることができる装置が、エンディングノートへの記入項目の問いかけを該スピーカーに送ることを特徴とする装置。
【請求項７】
上記スピーカーからの音声によるエンディングノートへの記入項目の問いかけが、５０デシベル以下の静かな音声である、請求項６記載の装置。
【発明の詳細な説明】
【技術分野】
【０００１】
本発明は、エンディングノート記入項目記録方法及びその装置に関し、更に詳しくは、入棺体験におけるエンディングノート記入項目記録方法及びその装置する。
【背景技術】
【０００２】
従来、エンディングノートは、とりわけ、お年寄りが、近い将来死亡する場合に備えて所定の事柄を記載して記録するものとして知られていた。ここで、エンディングノートとは、自らの情報、例えば、氏名、住所、本籍等の基本情報、預貯金、不動産、保険等の資産に関する情報、家族や親族等に関する情報、葬儀やお墓に関する情報、遺言に関する情報、財産相続に関する情報等を生前に予め記録しておくものである。そして、それにより、死後における種々の手続きを円滑に進め得るという効果を有していた。
【０００３】
エンディングノートとしては、例えば、自分の履歴、家系、年表、思い出、出逢いが少なくとも記載される項目別頁を有した自分史部（１）と、死亡時に知らせて欲しい人達の住所録、自分からのメッセージ、葬儀についての希望事項、財産目録が少なくとも記載される項目別頁を有したエンディング部（２）と、思い出の写真収納コーナー、遺影写真入れ、大切な物入れを有した物入れ部（３）とから少なくとも構成し、且つ前記自分史部（１）と前記エンディング部（２）及び前記物入れ部（３）を同時にファイルし、且つ項目別頁が増減可能としたことを特徴とするライフノート（特許文献１）、自分の足跡や、人生の思い出や、子供達や縁者に対する希望や願いを綴れる本形式のノート本体にあって、少なくともその見開き部分には、遺言とその方式の説明及び遺言のフォームや入力手段や、各地相談所、公証人役場との連絡手段があり、他に法的な書式に則とった遺言書のページが掲載されていることを特徴とした遺言ノート（特許文献２）、及び、自分の人生の概略、自分の葬儀への希望、連絡してほしい人の情報を記録または収納するエンディングノートにおいて、上記自分の性別に応じて、当該エンディングノートの色彩、模様または形状を異なる形態としたことを特徴とするエンディングノート等が知られている（特許文献３）。また、個人情報を登録するための効率的、かつ、利便性が高いエンディングノート作成サーバを提供するものとして、エンディングノートを作成するためのエンディングノート作成情報を記憶する記憶部と、前記エンディングノート作成情報を管理する制御部と、を備え、  前記エンディングノート作成情報は、第１ユーザの第１識別情報と対応する属性を特定するための質問を含む質問群を有し、前記制御部は、（ａ）前記質問群から選んだ１つ以上の質問を送信すること、及び（ｂ）前記１つ以上の質問に対して返信された回答結果に基づいて、前記質問群を前記属性により適合した質問群に変更すること、を複数回繰り返すように構成されている、エンディングノート作成サーバ等が知られている（特許文献４）。
【先行技術文献】
【特許文献】
【０００４】
【特許文献１】特開２００８−１７３８５４号公報
【特許文献２】特開２００６−２２４３５３号公報
【特許文献３】特開２０１５−７４１０１号公報
【特許文献４】特開２０１５−９０６５２号公報
【発明の概要】
【発明が解決しようとする課題】
【０００５】
本発明は、エンディングノートへの記入項目を著しく正確かつ信憑性をもって記録し得るばかりではなく、記録者の死後、記録したエンディングノートへの内容の正確性を巡る争い、例えば、財産（遺産）相続（配分）をめぐる相続人の間での無用な争いを著しく低減し得るところのエンディングノート記入項目記録方法及びその装置を提供するものである。
【課題を解決するための手段】
【０００６】
本発明者は、上記課題を解決するためにはいかなる手段を採用するべきかに関して、種々の検討を重ねた。その結果、従来、エンディングノートへの必要事項（記入項目）の記入は、記入者が万年筆、ボールペン等の筆記用具を使用して、あるいは、パーソナルコンピューター等のワードプロセッサー機能を使用して、記入者自身が文字により記入するものであったが、このような従来のエンディングノートでは、一見、正確であるかのように思えるが、文字で書くという行為自体からして形式にとらわれ易く、記入者が気付かないうちに、記入した内容が、記入者自身が本来考えていた内容と異なる意味になってしまうということも多々あることに気が付いた。また、たとえ、記入者の考えていたことがある程度正確に表現されていたとしても、それが、本当に本人が書いたものであるかなどの疑問が生じていることにも気が付いた。そして、そのことが、将来、記入者の死後、記入内容の正確性を巡る争い、例えば、財産（遺産）相続（配分）をめぐる相続人の間での無用な争いが生じている一因にもなっていると考えた。
【０００７】
そこで、本発明者は、文字ではなく音声でエンディングノートへの記入項目に応答できるなら、よりリラックスした状態でより正確に、記入者が本来考えていることを記録できるのではないかと考えた。しかし、単に音声で応答するのみでは、文字で記入するものと大差がないのではないかとも考えた。本発明者は、更によい手段はないかと考えた結果、記入者に、棺様の箱、例えば、木製の棺桶そのものに仰向けに横たわって入ってもらって、音声によるエンディングノートへの記入項目の問いかけに対して音声により応答してもらえば、好ましくは静かな環境において応答できれば、記入者自身、その死後をより現実的かつ客観的に見つめ直すことができて、自らの素直な気持ちを著しく正確に表現し得るのではないかと考えた。また、該方法を採用すれば、記入者自身の音声、即ち、肉声により記録されていることから、記入内容の正確性を巡る争いが非常に起こり難くなると考え、本発明を完成するに至った。
【０００８】
即ち、本発明は、
（１）棺様の箱の中に人が仰向けに横たわって入り、該人の耳の近傍に備えられたスピーカーからの音声によるエンディングノートへの記入項目の問いかけに対して、該人の口の近傍に備えられたマイクロフォンに向かって、該人が音声により応答し、該音声が、該マイクロフォンにより受け取られた音声を記録することができる装置に送られて記録されることにより、エンディングノートへの記入項目を音声により記録することを特徴とする、エンディングノート記入項目記録方法である。
【０００９】
好ましい態様として、
（２）上記エンディングノートへの記入項目が、財産相続に関する項目である、上記（１）記載のエンディングノート記入項目記録方法、
（３）上記エンディングノートへの記入項目が、財産相続における財産配分の理由である、上記（１）記載のエンディングノート記入項目記録方法、
（４）上記スピーカーが、該人の耳に略対応する、棺様の箱の側面部分に備えられている、上記（１）〜（３）のいずれか一つに記載のエンディングノート記入項目記録方法、
（５）上記マイクロフォンが、該人の口に略対応する、棺様の箱の蓋部分に備えられている、上記（１）〜（４）のいずれか一つに記載のエンディングノート記入項目記録方法、
（６）上記マイクロフォンにより受け取られた音声を記録することができる装置が、テープレコーダー又はディスクレコーダーである、上記（１）〜（５）のいずれか一つに記載のエンディングノート記入項目記録方法、
（７）上記棺様の箱が、５０デシベル以下の静かな室内に設置される、上記（１）〜（６）のいずれか一つに記載のエンディングノート記入項目記録方法、
（８）上記棺様の箱が、４０デシベル以下の静かな室内に設置される、上記（１）〜（６）のいずれか一つに記載のエンディングノート記入項目記録方法、
（９）上記スピーカーからの音声によるエンディングノートへの記入項目の問いかけが、５０デシベル以下の静かな音声により行われる、上記（１）〜（８）のいずれか一つに記載のエンディングノート記入項目記録方法、
（１０）上記スピーカーからの音声によるエンディングノートへの記入項目の問いかけが、４０デシベル以下の静かな音声により行われる、上記（１）〜（８）のいずれか一つに記載のエンディングノート記入項目記録方法、
（１１）上記スピーカーが、ヘッドフォン又はイヤフォンで代替される、上記（１）〜（１０）のいずれか一つに記載のエンディングノート記入項目記録方法
を挙げることができる。
【００１０】
また、本発明は、
（１２）人が仰向けに横たわって入ることができる棺様の箱から構成されるエンディングノート記入項目記録装置であって、該人の口の近傍に位置し得るようにマイクロフォンが備えられ、該人の耳の近傍に位置し得るようにスピーカーが備えられており、かつ、該マイクロフォンにより受け取られた音声を記録することができる装置と、該スピーカーへ音声を送ることができる装置とを備えており、該スピーカーへ音声を送ることができる装置が、エンディングノートへの記入項目の問いかけを該スピーカーに送ることを特徴とする装置である。
【００１１】
好ましい態様として、
（１３）上記エンディングノートへの記入項目が、財産相続に関する項目である、上記（１２）記載の装置、
（１４）上記エンディングノートへの記入項目が、財産相続における財産配分の理由である、上記（１２）記載の装置、
（１５）上記スピーカーが、該人の耳に略対応する、棺様の箱の側面部分に備えられている、上記（１２）〜（１４）のいずれか一つに記載の装置、
（１６）上記マイクロフォンが、該人の口に略対応する、棺様の箱の蓋部分に備えられている、上記（１２）〜（１５）のいずれか一つに記載の装置、
（１７）上記マイクロフォンにより受け取られた音声を記録することができる装置が、テープレコーダー又はディスクレコーダーである、上記（１２）〜（１６）のいずれか一つに記載の装置、
（１８）上記のスピーカーからの音声によるエンディングノートへの記入項目の問いかけが、５０デシベル以下の静かな音声である、上記（１２）〜（１７）のいずれか一つに記載の装置、
（１９）上記のスピーカーからの音声によるエンディングノートへの記入項目の問いかけが、４０デシベル以下の静かな音声である、上記（１２）〜（１８）のいずれか一つに記載の装置、
（２０）上記スピーカーが、ヘッドフォン又はイヤフォンで代替される、上記（１２）〜（１９）のいずれか一つに記載の装置
を挙げることができる。
【発明の効果】
【００１２】
本発明のエンディングノート記入項目記録方法及びその装置によれば、エンディングノートへの記入項目の音声による問いかけに対して、記録者がその場で、音声により応答し得ることから、簡便かつ正確に応答し得、また、その訂正も音声により行えることから容易である。また、棺様の箱の中に仰向けに横たわって応答することから、好ましくは、静かな環境で応答し得ることから、記録者自ら、その死後をより現実的かつ客観的に見つめ直すことができて、自らの素直な気持ちを著しく正確に記録し得る。また、記録者の肉声により記録することができることから、記録者の死後、記録したエンディングノートへの内容の正確性を巡る争い、例えば、財産（遺産）相続（配分）をめぐる相続人の間での無用な争いを著しく低減し得ることができる。
【図面の簡単な説明】
【００１３】
【図１】図１は、本発明のエンディングノート記入項目記録方法に使用する装置の一実施態様を示した概略図である。
【発明を実施するための形態】
【００１４】
本発明は、棺様の箱の中に人（記録者）が仰向けに横たわって入り、スピーカーからの音声によるエンディングノートへの記入項目の問いかけに対して、マイクロフォンに向かって音声によって応答することにより、エンディングノートへの記入項目を音声により記録するエンディングノート記入項目記録方法及びその装置である。ここで、棺様の箱としては、例えば、木製又は石製の棺等が挙げられる。取扱い等の観点から木製の棺が好ましい。本発明の方法においては、上記の棺様の箱、例えば、木製の棺の中に人が仰向けに横たわって入る。棺様の箱であるから、人が入った後に、その上部は蓋で覆われるが、通常の木製の棺を使用した際には、蓋の顔に対応する部分、例えば、窓穴は開放しておくことも可能である。棺様の箱を設置する場所にもよるが、いずれがより効果的であるかを考慮して、その人の要望により、窓穴を開放しておくか又は閉じてしまうかのいずれかを選択することができる。もちろん、棺様の箱には、空気口が設けてあり、棺桶の蓋、更に、窓穴を閉めた際にも、十分内部に空気が取り入れられるように工夫されている。加えて、該棺様の箱は、好ましくは５０デシベル以下、より好ましくは４０デシベル以下の静かな室内に設置される。これにより、更に効果を上げることが可能である。そして、それにより、その人が自らの気持ちに逆らうことなく、正確にエンディングノートへの記入項目の問いかけに対して応答することが可能となる。上記上限を超えては、スピーカーからの音声が大き過ぎて聞き難くなるばかりではなく、それにより、本来の回答を導き出すという効果を奏することが困難となることがあるため好ましくない。
【００１５】
人が棺様の箱の中に入った後、スピーカーからの音声によりエンディングノートへの記入項目の問いかけが始められる。問いかけの際、スピーカーからの音声は、好ましくは５０デシベル以下、より好ましくは４０デシベル以下の静かな音声であることができる。もちろん、問いかけがその人に聞こえなくては何ら意味がないので、その人の聴力や、棺様の箱が設置されている場所、例えば、室内におけるその他の音声の大きさとの関係で適宜決定される。上記上限を超えては、音声が大き過ぎることから、本来の回答を導き出すという効果を損なうことがある。ここで、スピーカーは、人の耳の近傍に備えられていればよく、好ましくは、人の耳に略対応する、棺様の箱の側面部分に備えられている。また、該スピーカーは、人が音声を聞くことができるものであればよく、例えば、ヘッドフォン又はイヤフォンで代替されることができる。該問いかけは、その場で、該問いかけをする人が話しかけることにより、スピーカーへ音声を送ることができる装置により実施してもよく、また、予め録音しておき、スピーカーへ音声を送ることができる装置によりそれを再生して送ることもできる。次いで、該問いかけに対して、人（記録者）がマイクロフォンに向かって音声により応答する。該マイクロフォンは、人の口の近傍に備えられていればよく、好ましくは、人の口に略対応する、棺様の箱の蓋部分に備えられている。そして、該人の音声が、該マイクロフォンにより受け取られた音声を記録することができる装置に送られて記録される。該記録装置に制限はなく、通常、音声を記録して再現し得ることができる装置であればよく、例えば、テープレコーダー、ディスクレコーダー等が挙げられる。このようにして、エンディングノートへの記入項目が、該人（記録者）の音声、即ち、肉声により記録される。
【００１６】
エンディングノートへの記入項目は、通常のエンディングノートにおいて記入項目として挙げられているものである。通常のエンディングノートにおける記入項目としては、例えば、下記の項目を挙げることができる。即ち、その人を特定する事項（基本情報）について、例えば、氏名、住所、本籍、生年月日、性別等；その人の経歴（自分史）について、例えば、これまでに住んだことのある家及び場所、職歴、趣味等；その人の親戚、友人、知人について、例えば、親類関係、友人関係等；その人のペットについて、例えば、種類等の基本情報、かかりつけの獣医、ペット保険、飼育上の注意点、私に何かあった時のペットの取り扱い、ペットが寿命を迎えた時の取り扱い等；その人の財産について、例えば、預貯金、株式、不動産、有価証券、あるいは金融資産、借入金、ローン等；その人の保険、私的年金について、例えば、生命保険、損害及び傷害保険等の加入保険、個人年金、企業年金等；その人の介護、告知や延命治療、献体等について、例えば、介護が必要となった場合の取扱い、介護のための費用、介護が必要となった場合に資産管理をお願いしたい人等；その人の葬儀について、例えば、葬儀の実施の有無、葬儀業者や会場、葬儀の費用、宗教や宗派、戒名や法名、葬儀の規模等；その人のお墓について、例えば、希望する埋葬方法、埋葬の場所、お墓の費用等；その人の携帯電話、会員サービス等について、例えば、携帯電話やパソコンのプロバイダ等；形見分け、遺品の整理について、例えば、形見分けの内容、遺品の内容等；遺言書、依頼相談先リストについて、例えば、遺言書の有無、遺産分割等；大切な人へのメッセージについて等が挙げられる。
【００１７】
本発明のエンディングノート記入項目記録方法においては、好ましくは、エンディングノートへの記入項目は、上記のような、通常のエンディングノートにおいて記入項目として挙げられているものから特別に選択される。通常、対象となる人（記録者）が、問題視している項目、肉声で記録しておきたいと考えている項目であれば特に制限はない。例えば、その人が財産相続について肉声により記録しておきたいと考えて、それを選択した場合には、予め、その人が所有する財産の全てをエンディングノート等に記載してもらう。加えて、その人が自らの財産を相続させたいと考えている人を特定して記載してもらう。その際、財産配分を同時に記載してもよい。その他、必要なことがあれば、それら全てを予めエンディングノート等に記載してもらうことが好ましい。そして、それらの内容に基づいて、本発明に基づいてその人に問いかけるのである。財産相続に関する問題においては、とりわけ、特定の財産を特定の相続人に配分した理由を問いかけることが好ましい。それにより、特定の項目について、その人自ら、その死後をより現実的かつ客観的に見つめ直すことができて、自らの素直な気持ちを著しく正確に記録し得る。また、記録者の肉声により記録することができることから、記録者の死後、記録したエンディングノートへの内容の正確性を巡る争い、例えば、財産（遺産）相続（配分）をめぐる相続人間での無用な争いを著しく低減し得ることができる。
【００１８】
以下、本発明のエンディングノート記入項目記録方法及び装置を図面に基づいて説明する。図１は、本発明のエンディングノート記入項目記録方法に使用する装置（Ａ）の一実施態様を示した概略図である。図1に示した棺様の箱は、５０デシベル以下の静かな室内に設置された。棺様の箱は、箱部分（５）とその蓋部分（４）とから構成されていた。棺様の箱の箱部分（５）と蓋部分（４）には、その内部に十分に空気が取り入れられるように空気穴（図示せず）が設けられていた。次いで、対象となる人（記録者）が、その棺様の箱の中に、スピーカー（２）の部分が耳の近傍になるように入って仰向けに横たわった。次いで、蓋部分（４）が箱部分（５）の上に載せられた。このとき、窓穴（６）は開放されたままであった。窓穴（６）は対象となる人の要望等を加味して、開放されたままであっても、また閉じても構わない。マイクロフォン（１）は人の口の近傍に備えられるように調節された。次いで、予め録音して用意したエンディングノートへの記入項目が、スピーカーへ音声を送ることができる装置（３）からスピーカー（２）を介して５０デシベル以下の静かな音声により問いかけられた。問いかけの内容は、上記の項目であれば特に制限はないが、まず、記録者を特定する事項（基本情報）、例えば、氏名、住所、本籍、生年月日、性別について問いかけられた。これにより、まず、記録者の気持ちを落ち着かせ、次いで、予め記録者に記録しもらっておいた財産相続に関する内容に基づいて、特定の財産を特定の相続人に配分した理由について問いかけられた。それに対して、マイクロフォン（１）に向かって該記録者が応答した。そして、この操作が繰り返して継続された。該音声は、マイクロフォンにより受け取られた音声を記録することができる装置（３）に送られて記録された。
【産業上の利用可能性】
【００１９】
本発明のエンディングノート記入項目記録方法及びその装置によれば、エンディングノートへの記入項目を著しく正確に記録し得るばかりではなく、記録者の死後、記録したエンディングノートへの内容の正確性を巡る争いを著しく低減し得る故、今後、エンディングノート記入項目記録、とりわけ、遺言書作成等に大いに利用されることが期待される。
【符号の説明】
【００２０】
Ａ  本発明のエンディングノート記入項目記録方法に使用する装置
１  マイクロフォン
２  スピーカー
３  マイクロフォンにより受け取られた音声を記録することができる装置兼スピーカーへ音声を送ることができる装置
４  棺様の箱の蓋部分
５  棺様の箱の箱部分
６  棺様の箱の窓穴
【図１】
2017090975.tif 000003